【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
中間転写体に、インクジェットデバイスを用いてインクを付与して中間画像を形成する中間画像形成工程と、前記中間画像を記録媒体に圧着することで転写する転写工程を有する転写型インクジェット記録方法であって、
前記転写工程において前記中間転写体を前記記録媒体に圧着する際にかかる圧力の方向の前記中間転写体の圧縮弾性率Ｅ１［Ｐａ］、及び、
前記中間転写体を前記記録媒体に圧着する際にかかる圧力の方向に対する垂直方向であり、かつ、前記記録媒体の搬送方向である方向の前記中間転写体の圧縮弾性率Ｅ２［Ｐａ］が、
Ｅ１＜Ｅ２の関係を満足することを特徴とする転写型インクジェット記録方法。
【請求項２】
前記Ｅ１及び前記Ｅ２がＥ１×１．５＜Ｅ２の関係を満足する請求項１に記載の転写型インクジェット記録方法。
【請求項３】
前記Ｅ１が１０ＭＰａ以上３０ＭＰａ以下であり、前記Ｅ２が１０ＭＰａより大きく４０ＭＰａ以下である請求項１または２に記載の転写型インクジェット記録方法。
【請求項４】
前記Ｅ１及び前記Ｅ２がＥ１×１．５＜Ｅ２の関係を満足し、前記Ｅ１が１０ＭＰａ以上３０ＭＰａ以下であり、前記Ｅ２が１０ＭＰａより大きく４０ＭＰａ以下である請求項１に記載の転写型インクジェット記録方法。
【請求項５】
前記中間転写体が針状のフィラーを含有する請求項１から４のいずれか１項に記載の転写型インクジェット記録方法。
【請求項６】
前記中間転写体が含有する前記針状のフィラーのアスペクト比が１．５以上５０以下である請求項５に記載の転写型インクジェット記録方法。
【請求項７】
前記中間転写体がポリイミド変性シリコーンを含有する請求項１から４のいずれか１項に記載の転写型インクジェット記録方法。
【請求項８】
前記中間画像形成工程に先立って、前記中間転写体に反応液を付与する反応液付与工程を有する請求項１から７のいずれか１項に記載の転写型インクジェット記録方法。
【請求項９】
前記反応液が樹脂を含有し、前記樹脂の含有量が反応液全質量を基準として１質量％以上５０質量％以下である請求項８に記載の転写型インクジェット記録方法。
【請求項１０】
請求項１から９のいずれか１項に記載の転写型インクジェット記録方法に用いることを特徴とする中間転写体。
【手続補正２】
【補正対象書類名】明細書
【補正対象項目名】発明の名称
【補正方法】変更
【補正の内容】
【発明の名称】転写型インクジェット記録方法及び係る記録方法に用いる中間転写体
【手続補正３】
【補正対象書類名】明細書
【補正対象項目名】０００１
【補正方法】変更
【補正の内容】
【０００１】
本発明は、転写型インクジェット記録方法及び係る記録方法に用いる中間転写体に関する。
【手続補正４】
【補正対象書類名】明細書
【補正対象項目名】０００７
【補正方法】変更
【補正の内容】
【０００７】
本発明は、前述した従来からの課題を考慮してなされたもので、多種多様な記録媒体への良好な転写性を有すると共に、記録媒体への転写時の画像の位置ずれを抑制することで良好な画像品質の画像を与えることのできる転写型インクジェット記録方法及び係る記録方法に用いる中間転写体を提供することを目的とする。
【手続補正５】
【補正対象書類名】明細書
【補正対象項目名】０００８
【補正方法】変更
【補正の内容】
【０００８】
前記目的を達成するために、本発明により、中間転写体に、インクジェットデバイスを用いてインクを付与して中間画像を形成する中間画像形成工程と、前記中間画像を記録媒体に圧着することで転写する転写工程を有する転写型インクジェット記録方法であって、
前記転写工程において前記中間転写体を前記記録媒体に圧着する際にかかる圧力の方向の前記中間転写体の圧縮弾性率Ｅ１［Ｐａ］、及び、前記中間転写体を前記記録媒体に圧着する際にかかる圧力の方向に対する垂直方向であり、かつ、前記記録媒体の搬送方向である方向の前記中間転写体の圧縮弾性率Ｅ２［Ｐａ］が、Ｅ１＜Ｅ２の関係を満足することを特徴とする転写型インクジェット記録方法が提供される。
【手続補正６】
【補正対象書類名】明細書
【補正対象項目名】０００９
【補正方法】変更
【補正の内容】
【０００９】
また本発明により、前記転写型インクジェット記録方法に用いることを特徴とする中間転写体が提供される。
【手続補正７】
【補正対象書類名】明細書
【補正対象項目名】００１０
【補正方法】変更
【補正の内容】
【００１０】
本発明によれば、多種多様な記録媒体への良好な転写性を有すると共に、記録媒体への転写時の画像の位置ずれを抑制することにより良好な画像品質の画像を与えることのできる転写型インクジェット記録方法及び係る記録方法に用いる中間転写体を提供できる。
【手続補正８】
【補正対象書類名】明細書
【補正対象項目名】００１１
【補正方法】変更
【補正の内容】
【００１１】
【図１】転写型インクジェット印刷装置の一例の模式図である。
【手続補正９】
【補正対象書類名】明細書
【補正対象項目名】００１２
【補正方法】変更
【補正の内容】
【００１２】
本発明は、転写型インクジェット記録方法及び係る記録方法に用いる中間転写体である。
【手続補正１０】
【補正対象書類名】明細書
【補正対象項目名】００１３
【補正方法】変更
【補正の内容】
【００１３】
＜転写型インクジェット記録方法＞
本発明の転写型インクジェット記録方法として、例えば以下の工程を有する方法が挙げられる。
１）中間転写体に、インクジェットデバイスを用いてインクを付与して中間画像を形成する中間画像形成工程。
２）前記中間画像を記録媒体に圧着することで転写する転写工程。
【手続補正１１】
【補正対象書類名】明細書
【補正対象項目名】００１４
【補正方法】変更
【補正の内容】
【００１４】
なお、転写型インクジェット記録方法は、必要に応じて工程１の前に、インク（第２の液体）の流動性を低下させるための反応液（第１の液体）を中間転写体に付与する反応液付与工程を有することができる。反応液付与工程を有する場合は、第１の液体が付与された中間転写体にインクを付与することとなる。また、工程１と２との間に、形成した中間画像中の液体成分を減少させる液体分除去工程を有することができる。また、転写工程の後に、転写画像をオーバーコートする工程を設けてもよい。
以下に、本発明の中間転写体を有する転写型インクジェット印刷装置（画像形成装置）の一実施態様と、この装置による記録方法としての印刷方法の概略を説明する。
【手続補正１２】
【補正対象書類名】明細書
【補正対象項目名】００１７
【補正方法】変更
【補正の内容】
【００１７】
＜中間転写体＞
転写型インクジェット印刷装置は、支持部材３上に中間転写体１１を具備し、中間転写体１１には本発明の中間転写体を用いる。中間転写体は、インクを保持し、画像を形成する基材となる。中間転写体全体の圧縮弾性率に関する要件を満たすものであれば、中間転写体の層構成（層数、各層の組成等）は適宜選択することができる。
【手続補正１３】
【補正対象書類名】明細書
【補正対象項目名】００７０
【補正方法】変更
【補正の内容】
【００７０】
＜転写型インクジェット印刷装置＞
転写型インクジェット印刷装置は、上述した転写型インクジェット印刷法に用いる印刷装置である。この転写型インクジェット印刷装置は、支持部材３上に配された中間転写体１１、ローラ式塗布装置４、インクジェットデバイス５、送風装置６、加熱ヒータ７、加圧ローラ９、及びクリーニングユニット１０を有することができ、これらからなることもできる。この印刷装置を用いて、記録媒体８に良好な品質の画像を印刷することができる。